(57)【要約】【課題】植物の根に有効に酸素を補給することができるとともに、併せて水分の補給も可能とした植物用酸素及び水分補給器の提供を図る。【解決手段】筒体と蓋体とからなり、筒体は、中空であって上方及び下方が開放されており、かつ、側壁所定箇所には少なくとも一以上の通気孔が備えられ、また蓋体は、開放された筒体の上端に載置され、所定箇所には少なくとも一以上の通気部が備えられた構成となっている。なお、該筒体について底板を有する構成とすることもでき、また、該筒体の内部に栗石または玉石が充填されている構成も採用し得る。【選択図】図１
0003153088.tif 000002
【実用新案登録請求の範囲】
【請求項１】
植物の根に酸素及び水分を補給するための器具であって、筒体と、蓋体と、からなり、筒体は、中空であって上方及び下方が開放されており、かつ、側壁所定箇所には少なくとも一以上の通気孔が備えられ、また蓋体は、開放された筒体の上端に載置され、所定箇所には少なくとも一以上の通気部が備えられていることを特徴とする植物用酸素及び水分補給器。
【請求項２】
植物の根に酸素及び水分を補給するための器具であって、筒体と、蓋体と、からなり、筒体は、中空であって底板を有するとともに上方が開放されており、かつ、側壁所定箇所には少なくとも一以上の通気孔が備えられ、また蓋体は、開放された筒体の上端に載置され、所定箇所には少なくとも一以上の通気部が備えられていることを特徴とする植物用酸素及び水分補給器。
【請求項３】
前記植物用酸素及び水分補給器において、筒体の内部に栗石または玉石が充填されていることを特徴とする請求項１または請求項２に記載の植物用酸素及び水分補給器。
【考案の詳細な説明】
【技術分野】
【０００１】
本考案は、植物の根に酸素及び水分を補給するための器具に関するものである。
【背景技術】
【０００２】
従来より、アスファルトやコンクリートによる土壌の被覆が増加するにつれ、樹木等が減少し、自然環境の悪化が進んでいる。そこで近年、人々の自然環境に対する関心が高まってきており、それに伴い人々の緑に対する要望も増加している。具体的には、道路の法面緑化や埋立地・宅地造成地への植栽、街路樹等、都市部に緑を増加させることで、人工物を緑で覆う試みが活発に行われている。
【０００３】
しかしながら、一方でそのような緑化木や従来からある大木の衰退が顕在化している。これは、アスファルトやコンクリートによる土壌の被覆により、土壌の透水性及び通気性が低下し、樹木の根へ充分な水分や酸素が行き届かず、樹木の生育を阻害しているのが原因といわれている。
【０００４】
かかる問題を解決すべく、緑化樹木の衰退防止を目的とした土壌を改良する種々の試みがなされている。例えば、暗渠排水を用いる方法や、客土による方法、縦筋状トレンチ工法や、サンドパイル工法などの土壌改良法がなされている。しかしながら、これらの土壌改良法は、大規模な客土用の土壌を採取する必要があったり、植栽木を痛めてしまう危険性も高いものであった。
【０００５】
そこで、これらの土壌改良法を改善した工法が実用化されている。例えば、加圧式の土壌改良材の注入による方法や、ソフトダイナマイトによる土壌軟化を図る方法である。これらの工法は、非常に土壌改良効果が高く、実用化されている。しかしながら、やはり大規模な客土用の土壌を採取する必要があり、土壌採取地の環境破壊や大型機械の必要性など、実行にあたっての難点も多い。
【考案の開示】
【考案が解決しようとする課題】
【０００６】
本考案は、上記事情に鑑みてなされたものであり、植物の根に有効に酸素を補給することができるとともに、併せて水分の補給も可能とした植物用酸素及び水分補給器を提供することを課題としている。
【課題を解決するための手段】
【０００７】
上記課題を解決するため、本考案は、植物の根に酸素及び水分を補給するための器具であって、筒体と、蓋体と、からなり、筒体は、中空であって上方及び下方が開放されており、かつ、側壁所定箇所には少なくとも一以上の通気孔が備えられ、また蓋体は、開放された筒体の上端に載置され、所定箇所には少なくとも一以上の通気部が備えられている構成を採用している。
【０００８】
また、本考案は、前記構成において、筒体が底板を有する構成とすることも可能である。
【０００９】
さらに、本考案は、前記構成において、筒体の内部に栗石または玉石が充填されている構成とすることも可能である。
【考案の効果】
【００１０】
本考案にかかる植物用酸素及び水分補給器によれば、樹木・植物の近傍に埋設して用いることにより、土壌ひいては樹木・植物の根に対する透水性及び通気性が確保されることとなる。よって樹木・植物にとって必要充分な水分及び酸素の供給が可能となり、街路樹等の表土がアスファルト等で被覆されて土壌本来の透水性及び通気性が阻害されるような環境下においても、樹木・植物の生育促進に資する効果を奏する。
【考案を実施するための最良の形態】
【００１１】
以下、本考案にかかる植物用酸素及び水分補給器１の実施形態について、図面を参照しながら詳細に説明する。
【００１２】
図１は、本考案にかかる植物用酸素及び水分補給器１の実施形態を示す斜視図であり、また図２は、本考案にかかる植物用酸素及び水分補給器１の実施形態を示す断面図である。
該植物用酸素及び水分補給器１は、筒体２と、蓋体４と、から構成されている。
筒体２は、中空であって、上方及び下方が開放されている。そして、側壁の所定箇所には、通気孔３が備えられている。
なお、図面では、該筒体２を円筒状とした場合について示しているが、かかる形状に限らず、楕円筒状や多角筒状等であっても構わない。
【００１３】
筒体２側壁に備えられる通気孔３について、図面では、該通気孔３を側壁に複数備えた場合について示しているが、かかる通気孔３は一つであっても構わないし、二以上であっても構わない。ただし、透水性や通気性の効果を考慮すると、該通気孔３が十以上備えられることが好ましい。
また、かかる通気孔３の形状についても、特に限定するものではなく、図面では該通気孔３が略円形状である場合について示しているが、その他にも楕円形状や四角形状等であってもよい。
【００１４】
筒体２の材質については、特に限定するものではないが、土壌中における耐腐食性や施工性・運搬性に鑑みると、塩ビ管等の合成樹脂製であることが好ましい。
【００１５】
なお、図３に示すように、筒体２の内部には、栗石や玉石６が充填されている構成とすることも考え得る。かかる構成を採用することにより、土壌１４へ水分が浸透する際に、該栗石・玉石６が浸透水を濾過するために作用し、雑物の土壌１４への侵入を防止することとなる。
【００１６】
また、上記構成において、筒体２が底板を有する構成とすることも可能である。かかる構成を採ることにより、筒体２の内部に栗石や玉石６を充填した状態を効率よく保持することが可能であり、その状態のまま運搬・移動も容易に行うことが可能となる。
【００１７】
上記の通り構成される筒体２の開放された上端には、蓋体４が載置されることとなる。該蓋体４は、平板状であって、所定箇所には通気部５が備えられている。
【００１８】
蓋体４に備えられる通気部５について、図面では、該通気部５を蓋体４全面に複数備えた場合について示しているが、かかる通気部５は一つであっても構わないし、二以上であっても構わない。
また、かかる通気部５の形状についても、特に限定するものではなく、図面では該通気部５が略円形状である場合について示しているが、その他にも楕円形状や四角形状等であってもよい。
【００１９】
蓋体４の材質については、特に限定するものではないが、耐腐食性や耐重性に鑑みると、強化プラスチック等の合成樹脂製やステンレス等の金属製が考え得られる。
【００２０】
次に、上記の通り構成される本考案にかかる植物用酸素及び水分補給器１の実施例について説明する。図４は、本考案にかかる植物用酸素及び水分補給器１の実施例を示す断面図である。すなわち、植物用酸素及び水分補給器１は、樹木・植物Ｔの近傍の地中に埋め込まれて使用される。埋め込まれる数は、樹木・植物Ｔの大きさや本数、敷地面積等を総合的に考慮して決定される。
【００２１】
また、植物用酸素及び水分補給器１は、水分が蓋体３の通気部４から浸入可能とすべく、その上端面が地表面と均一あるいは地表面からやや下方に位置するように埋め込まれる。
さらに、植物用酸素及び水分補給器１の上端面周辺は、土壌１４であろうとアスファルト等により被覆されていようとどちらでも構わない。なお、図５は、植物用酸素及び水分補給器１の上端面周辺がコンクリート構造物Ｃにより被覆されている場合について示している。
【００２２】
埋め込まれた植物用酸素及び水分補給器１の筒体２は、その下端が地中における土壌１４にまで届くようになっている。すなわち、アスファルト等で被覆された場所は、図４に示すように、最上部にアスファルト等の被覆層１１、その下に砂利層１２、さらにその下に栗石層１３、それ以下が土壌１４といったように施工されている場合が多い。したがって、筒体２の長さは、その下端が土壌１４中に位置するように、植物用酸素及び水分補給器１が埋め込まれる場所によって適宜決定される。
【００２３】
このようにして地中に埋め込まれた植物用酸素及び水分補給器１は、蓋体４の通気部５を介して外気・外部と筒体２内とが、そして筒体２側壁の通気孔３及び開放された下端を介して筒体１内と土壌（植物の根）１４とが通気及び通水可能となり、結果として樹木・植物Ｔにとって必要充分な水分及び酸素の供給が可能となり、いかなる環境下においても、樹木・植物Ｔの生育促進に資することとなる。
【００２４】
本考案にかかる植物用酸素及び水分補給器１を埋め込んだことによる効果をみるべく、同一条件下において、植物用酸素及び水分補給器１を埋め込んだ場合と埋め込まなかった場合についての樹木の成長実験を行った。該実験は、赤土を主とする一般土壌及び黒土を主とする一般土壌に夫々ベニカナメモチを植栽することによって行った。また、実験項目として、一目見て判る樹高と肥大成長の二項目について考察した（図６参照）。
【００２５】
上記実験の結果、樹高については、図６に示すように、植物用酸素及び水分補給器１を埋め込んだ方のベニカナメモチが、埋め込まなかった方に比して明らかに樹高が高く成長していることがわかった。
また、肥大成長についても同様、図６に示すように、植物用酸素及び水分補給器１を埋め込んだ方のベニカナメモチが、埋め込まなかった方に比して明らかに成長が肥大していることがわかった。
【図面の簡単な説明】
【００２６】
【図１】本考案にかかる植物用酸素及び水分補給器を示す斜視図である。
【図２】本考案にかかる植物用酸素及び水分補給器を示す断面図である。
【図３】本考案にかかる植物用酸素及び水分補給器を示す断面図である。
【図４】本考案にかかる植物用酸素及び水分補給器の実施例を示す断面図である。
【図５】本考案にかかる植物用酸素及び水分補給器の実施例を示す外観図である。
【図６】本考案にかかる植物用酸素及び水分補給器の実験結果を示す説明図である。
【符号の説明】
【００２７】
１    植物用酸素及び水分補給器
２    筒体
３    通気孔
４    蓋体
５    通気部
６    栗石・玉石
１１    被覆層
１２    砂利層
１３    栗石層
１４    土壌
Ｃ    コンクリート構造物
Ｔ    樹木・植物
【図１】
0003153088.tif 000003
【図２】
0003153088.tif 000004
【図３】
0003153088.tif 000005
【図４】
0003153088.tif 000006
【図５】
0003153088.tif 000007
【図６】
0003153088.tif 000008